(57)【要約】【課題】導電材料によって形成された筐体の部材の影響を受けて、磁界の分布が歪み、余分に漏洩磁界対策部材が必要になるという課題を有していた。【解決手段】加熱コイル下方及び側方に設けた導電部材の加熱コイル保持部７により加熱コイル１を保持するとともに加熱コイルの発生する磁界を低減させることにより、加熱コイル保持部の一部にて磁界シールド効果を得る。【選択図】  図１
2004327056.tif 000002
【特許請求の範囲】
【請求項１】
誘導加熱を行う加熱コイルと、前記加熱コイル下方及び側方に設けた前記加熱コイルを保持する加熱コイル保持部とを備え、前記加熱コイル保持部は、導電部材を有して形成し、前記加熱コイルを保持するとともに加熱コイルの発生する磁界を低減させる誘導加熱調理器。
【請求項２】
加熱コイル保持部は、導光部を保持し、かつこの導光部を保持する部位を鏡面仕上げとすることによりこの導光部の上面を発光させる請求項１に記載の誘導加熱調理器。
【請求項３】
加熱コイル保持部の底面に開口部を設け、加熱コイルの発生する磁界の分布を加熱コイルと概同心円状になるように構成した請求項１に記載の誘導加熱調理器。
【請求項４】
加熱コイル保持部の底面に凹部を設け、その凹部に凹部の深さ未満の厚みの磁性体を設置した請求項１に記載の誘導加熱調理器。
【請求項５】
加熱コイル保持部の導電部材を所定電位に固定した請求項１に記載の誘導加熱調理器。
【請求項６】
加熱コイル保持部は、底面に加熱コイルよりも大きな外周の絶縁体を設置し、且つこの絶縁体には孔部を設け、この孔部を介した接着剤により加熱コイルと加熱コイル保持部と絶縁体を接着した請求項４に記載の誘導加熱調理器。
【請求項７】
加熱コイル保持部は、導電部材を電気抵抗の小さな材料で構成した請求項１に記載の誘導加熱調理器。
【発明の詳細な説明】
【０００１】
【発明の属する技術分野】
本発明は、誘導加熱調理器に関するものである。
【０００２】
【従来の技術】
従来の一般的な誘導加熱調理器は、加熱コイルから発生する磁界を低減するために、加熱コイルの外周を囲うように、導電部材を取り付けて構成していた（例えば、特許文献１、特許文献２参照）。
【０００３】
図５（ａ）に従来の一般的な誘導加熱調理器の加熱コイル保持部、図５（ｂ）に同図のＡ−Ａ断面図を示す。加熱コイル１は、樹脂で成型された加熱コイル保持部２の上に設置されシリコン等の接着剤にて固定されている。またこの加熱コイル保持部２はその内部に強磁性体のフェライト３を放射状に一体で成型している。このフェライト３により加熱コイル１の発生する磁界の広がりを吸収している。
【０００４】
さらに図６に示すように、加熱コイル１から発生した磁界は、加熱コイル保持部２を設置する誘導加熱調理器本体構成の影響を受けて、加熱コイル１と概同心円状にはならずに歪んだ形となる事が多く、発生する磁界を概円形状にするために、珪素鋼板等の磁性体の材料を用いた漏洩磁界対策部材４を用いている。
【０００５】
また、図５の加熱コイル保持部２はその外周部に２重の溝を設け、内側の溝には、アルミニウムで出来た磁界シールド部材５を設置し、外側の溝には導光部６を設置している。
【０００６】
この磁界シールド部材５により、加熱コイル１が発生する磁界を吸収して誘導加熱調理器本体近傍の他の機器への磁界の影響を低減しているものである。
【０００７】
また、この導光部６は、誘導加熱調理器を使用の際に発光し、使用者におおよその加熱位置を知らせているものである。
【０００８】
【特許文献１】
特開２００２−３１９４７９号公報
【特許文献２】
特開平８−２５０２７２号公報
【０００９】
【発明が解決しようとする課題】
しかしながら前記従来の誘導加熱調理器の構成では、強磁性体のフェライト３は加熱コイル保持部２を形成する際に一体に成型するため、フェライト３が破損しやすいという課題があった。
【００１０】
また、磁界シールド部材５により、磁界の漏れを防止しているものの、材料コストも組み立てコストも高く、さらに重量が増加するため誘導加熱調理器本体が重くなり取り扱いが困難になるという課題があった。
【００１１】
また、加熱コイル保持部２が樹脂で出来ているため、フェライト３間の加熱コイル保持部２の下方にある誘導加熱調理器の導電材料によって形成された筐体１０の部材の影響を受けて、磁界の分布が歪み、本来の誘導加熱調理器には必要の無い余分な漏洩磁界対策部材４が必要になるという課題を有していた。
【００１２】
さらに、図５に示す様に従来例の誘導加熱調理器では、その筐体１０は強度を確保するため鉄系の磁性体の板金で形成されることが多く、そのため、加熱コイル１から下方に漏洩した磁界により筐体１０が加熱されないように、加熱コイル１の下方にアルミニウムでできた磁界シールド板９を設置しなければならないという課題を有していた。
【００１３】
【課題を解決するための手段】
上記課題を解決するために本発明の誘導加熱調理器は、誘導加熱を行う加熱コイルと、加熱コイル下方及び側方に設けた導電部材により加熱コイルを保持するとともに加熱コイルの発生する磁界を低減させる加熱コイル保持部を設けることにより、加熱コイル保持部の一部にて磁界シールド効果を得るといった作用を有するものである。
【００１４】
また加熱コイル保持部は導光部を保持しかつこの導光部を保持する部位を鏡面仕上げとすることによりこの導光部の上面を十分に発光させる作用を有するものである。
【００１５】
また、加熱コイル保持部の底面の一部に開口部を設けることにより、開口部以外の部位で磁界吸収効果を高め、加熱コイルの発生する磁界の分布を加熱コイルと概同心円状になるように出来る作用を有する。
【００１６】
また、加熱コイル保持部の底面に凹部を設け、その凹部に凹部の深さ未満の厚みの磁性体を設置した事により、加熱コイルの発生する磁界を吸収するフェライトの位置をずれなく固定できる作用を有する。
【００１７】
また、加熱コイル保持部の導電部材を所定電位例えば、アース電位に固定したことにより、磁界のシールド効果をより高めることが出来るという作用を有する。
【００１８】
また、加熱コイル保持部の底面に加熱コイルよりも大きな外周の絶縁体を設置し、且つこの絶縁体には孔部を設け、この孔部を介した接着剤により加熱コイルと加熱コイル保持部と絶縁体を接着した構成とすることにより、一度の接着で３つの部品を固定することが出来るという作用を有する。
【００１９】
加熱コイル保持部の導電部材を例えばアルミニウムのような電気抵抗の小さな材料で構成したことにより、加熱コイル保持部の導電部材によって消費される熱を低減するという作用を有する。
【００２０】
【発明の実施の形態】
請求項１に記載の発明は、誘導加熱を行う加熱コイルと、前記加熱コイル下方及び側方に設けた前記加熱コイルを保持する加熱コイル保持部とを備え、前記加熱コイル保持部は、導電部材を有して形成し、前記加熱コイルを保持するとともに加熱コイルの発生する磁界を低減させる構成とした誘導加熱調理器である。これにより、簡単な構成で漏洩磁界をシールドする効果を得ることが出来る。
【００２１】
請求項２記載の発明は、上記に加え、請求項１記載の加熱コイル保持部において導光部材を保持し、かつこの導光部材を保持する部位を鏡面仕上げとすることによりこの導光部材の上面を発光させ、この導光部が発する光の輝度を向上させる効果を得ることができる。
【００２２】
請求項３記載の発明は、上記に加え、請求項１記載の加熱コイル保持部の底面に開口部を設け、開口部以外の導電部位において加熱コイルの発生する磁界を吸収し、磁界の分布を加熱コイルと概同心円状になるように構成したことで漏洩磁界を小さくすることができる。
【００２３】
請求項４記載の発明は、上記に加え、請求項１記載の加熱コイル保持部の底面に凹部を設け、その凹部に凹部の深さ未満の厚みの磁性体を設置したことにより加熱コイルの発生する磁界を吸収するフェライトの位置をずれなく固定できるため、加熱コイルの発生する漏洩磁界のばらつきを安定させる効果を得る。
【００２４】
請求項５記載の発明は、上記に加え、請求項１記載の加熱コイル保持部の導電部材をアース等の所定電位に固定した事により、より磁界のシールド効果をより高め、漏洩磁界を低減するという効果を得ることができる。
【００２５】
請求項６記載の発明は、上記に加え、請求項４記載の加熱加熱コイル保持部の底面に加熱コイルよりも大きな外周の絶縁体を設置し、且つこの絶縁体には孔部を設け、この孔部を介した接着材により加熱コイルと加熱コイル保持部と絶縁体を接着した構成の簡単に一度の接着で３つの部品を固定するという効果を得ることができる。
【００２６】
請求項７記載の発明は、上記に加え、請求項１記載の加熱コイル保持部の導電部材を例えばアルミニウムのような電気抵抗の小さな材料で構成した誘導加熱調理器である。そして、加熱コイル保持部の導電部材によって消費される熱を低減し、誘導加熱調理器としての熱効率が向上するという効果を得ることができる。
【００２７】
【実施例】
以下、その実施例を図面を参照して説明する。
【００２８】
（実施例１）
本発明の第１の実施例の構成図を図１（ａ）に、図１（ｂ）に同図のＡ−Ａ断面図を示す。従来例と同一構成内容は同一番号を付与している。
【００２９】
加熱コイル保持部７はアルミニウムで出来ており、その底面は加熱コイル１の外周径、およびマイカ等の材料で出来た絶縁体８の外周径より大きく構成されている。
【００３０】
その加熱コイル保持部７は、図１に示すように外周を上方に絞り加工にて持ち上げて、フランジ部７ａを外周に形成しており、このフランジ部７ａは幅を約１０ｍｍとしている。
【００３１】
加熱コイル１から発生した磁界は、通常使用状態において加熱コイル上方の被加熱物に吸収されるが、一部外周方向にもれた漏洩磁界は、このフランジ部７ａとフランジ部７ａを持ち上げる壁部７ｅにて吸収されるものである。
【００３２】
（実施例２）
図２（ａ）に本発明の第２の実施例の導光部材を示す。同図（ｂ）に導光部材の断面を説明する図を示す。
【００３３】
図２はポリカーボネイト等の透明な樹脂で成型された導光部材６の一部でＬＥＤ等の発光体１１から入射された光を引き込む部分の図である。
【００３４】
入射された光は、加熱コイル保持部７の外周の溝にはめ込まれた円形の導光部材６を全周発光させている。このとき図２に示すように、加熱コイル保持部７の形成する溝の内面を鏡面に仕上げることにより、この溝内部の鏡面で反射した光も導光部材６の上面に集中して導光部材６の発光輝度を向上させている。
【００３５】
（実施例３）
図３に本発明の第３の実施例の誘導加熱調理器の漏洩磁界の分布図をしめす。図３に示すように加熱コイル１の発生する漏洩磁界は、加熱コイル保持部２を取り付ける機器本体を構成する導電材料の配置により、概円形の分布とはならず一部突出した形状になる。このとき、図３に示す様な位置に、加熱コイル保持部７の底面に孔部７ａも設けると、この孔部７ａを設けた方向の漏洩磁界の吸収分が減るため、漏洩磁界の分布が概円形となりバランスが取れるものである。
【００３６】
（実施例４）
図１において、アルミニウムで出来た加熱コイル保持部７の底面に絞り加工にて凹部７ｃを設け、その凹部７ｃにフェライト３を設置している。このとき凹部７は、その深さをフェライト３の厚み以上とすることで、加熱コイル１の底面の平面部よりフェライト３が突出しないようにしている。
【００３７】
この凹部７ｃの位置すなわちフェライト３の配置は、加熱コイル１の発生する漏洩磁界の分布を考慮して決定されている。
【００３８】
またこのフェライト３はシリコン等の接着材で加熱コイル保持部７の凹部７ｃに固定されている。
【００３９】
（実施例５）
本発明の第５の実施例においては、図１に示す加熱コイル保持部７を、誘導加熱調理器のアース電位に固定しているものである。これにより、加熱コイル１の発生する漏洩磁界のエネルギーをアースに逃がしてやることにより加熱コイル保持部７による漏洩磁界のシールド効果を高めている。
【００４０】
またこの固定する電位は、アースでなくともよく、また、抵抗やコンデンサを用いて接続しても本発明の効果は同様である。
【００４１】
（実施例６）
本発明の実施例６を図４を用いて説明する。
【００４２】
加熱コイル保持部７への絶縁体８と加熱コイル１の固定の際には、図４（ａ）の工程１に示す様に、まず、加熱コイル保持部７の底面に形成した窪み７ｄに接着材を充填する。次に図４（ｂ）の工程２に示すように絶縁体８を、絶縁体８の孔部８ａが接着剤の充填部位の窪み７ｄに重なるように配置する。次に図４（ｃ）の工程３で加熱コイル１を絶縁体８の上に配置し上方より圧力をかけると、加熱コイル保持部７の窪み７ｄに充填された接着剤が絶縁体８の孔部８ａから加熱コイル１と絶縁体８の隙間に充填されて、接着が完了するものである。
【００４３】
（実施例７）
本発明の第７の実施例においては、図１に示す加熱コイル保持部７を電気抵抗の少ない材料で形成したものである。電気抵抗の少ない材料とはアルミニウムが代表して挙げられる。このことにより、加熱コイル１の下方には漏洩磁界がもれず、誘導加熱調理器の筐体１０を構成する磁性体金属を加熱することが無い。
【００４４】
【発明の効果】
以上のように本願発明によれば、加熱コイル下方及び側方に設けた導電部材により加熱コイルを保持するとともに加熱コイルの発生する磁界を低減させる加熱コイル保持部を設けたことにより、簡単な構成で漏洩磁界をシールドする効果を得ることが出来る。
【図面の簡単な説明】
【図１】（ａ）本発明の第１の実施例の誘導加熱調理器の構成図
（ｂ）同図、Ａ−Ａ断面図
【図２】（ａ）本発明の第２の実施例の誘導加熱調理器の構成図
（ｂ）同図、導光部材の断面を説明する図
【図３】本発明の第３の実施例の誘導加熱調理器の漏洩磁界の分布図
【図４】（ａ）本発明の第６の実施例の行程１の誘導加熱調理器の構成図
（ｂ）同、行程２の誘導加熱調理器の構成図
（ｃ）同、行程３の誘導加熱調理器の構成図
【図５】（ａ）従来の誘導加熱調理器の構成図
（ｂ）同図、Ａ−Ａ断面図
【図６】従来の誘導加熱調理器の漏洩磁界の分布図
【符号の説明】
１  加熱コイル
２  従来例の加熱コイル保持部
３  フェライト
４  漏洩磁界対策部材
５  磁界シールド部材
６  導光部材
７  本発明の加熱コイル保持部
７ａ  フランジ部
７ｂ  孔部
７ｃ  凹部
７ｄ  窪み
７ｅ  壁部
８  絶縁体
８ａ  穴部
９  磁界シールド板
１０  筐体
１１  発光体
【図１】
2004327056.tif 000003
【図２】
2004327056.tif 000004
【図３】
2004327056.tif 000005
【図４】
2004327056.tif 000006
【図５】
2004327056.tif 000007
【図６】
2004327056.tif 000008